(57)【要約】    【課題】この発明は、ひだ付き袋体内への内容物の充填後、両ひだを揃える作業を行う必要のない袋体の拡開維持装置を提供する。      【解決手段】一対の把持手段１０の各固定爪１１を、互いに対向させることなく所定の間隔を設けて並設し、これにより紙袋４０の両ひだ４０ａの部分を揃えたまま、紙袋４０の外側から該両ひだ４０ａの部分を前記一対の固定爪１１と可動爪１２間に把持して紙袋４０の開口４０ｂを拡開状態に維持するようにした。    【選択図】  図８
2007099283.tif 000002
【特許請求の範囲】
【請求項１】
固定爪と該固定爪に弾発的に圧接可能な可動爪とからなる把持手段を少なくとも一対具えた袋体の拡開維持装置において、
前記記一対の把持手段の各固定爪を、互いに対向させることなく所定の間隔を設けて並設し、
もって袋体の両ひだの部分を揃えたまま、袋体の外側から前記両ひだの部分を前記一対の固定爪と可動爪間に把持して袋体の開口を拡開状態に維持することを特徴とする袋体の拡開維持装置。
【請求項２】
前記把持手段は、基台の両側に所定の間隔を設けて立設された一対の伸縮自在な支柱の先端から延設された支持アームに配設されていることを特徴とする請求項１に記載の袋体の拡開維持装置。
【発明の詳細な説明】
【技術分野】
【０００１】
この発明は袋体の開口を拡開し、その状態を維持する袋体の拡開維持装置に関し、特に両側にひだが形成されたいわゆるひだ付袋体の拡開維持装置に関する。
【背景技術】
【０００２】
従来から袋体、特に紙袋からなる袋体内に穀物等の内容物を充填させる作業を行う際、その内容物の充填作業を容易にさせるため、紙袋の開口側を拡開状態に維持させるための装置、即ち袋体の拡開維持装置が使用されている。
【０００３】
上述した、従来の袋体の開口維持装置としては、特開２００２−２４０８０９号に記載されたものが知られている。
【０００４】
この特開２００２−２４０８０９号に記載された従来の袋体の拡開維持装置は、内容物の充填作業を行う際、袋体の開口の拡開を維持するため、袋体の開口内側に入る固定爪と、袋体の外側から前記固定爪に対し弾発的に圧接する可動爪とからなる把持手段を一対有している。
【０００５】
そして、この従来例では、特に袋体の開口内側に固定爪を侵入させる構成を採用しているため当該一対の固定爪を所定の間隔を設けて互いに対向させる位置に配設するようにしている。
【０００６】
そして、上述した従来の拡開維持装置を使用して、ひだなし袋内に内容物を充填する場合は、袋体の開口周縁の内側と外側とを上述した一対の把持手段で把持し、これにより紙袋の開口状態を維持して内容物の充填作業を行い、内容物の充填後は把持手段の把持操作を解除し、これにより装置から袋体を開放し、その後、開口の封緘等の作業をするようにしていた。
【０００７】
一方、上述した従来の拡開維持装置を使用して、両側にひだが形成されたひだ付き紙袋内に内容物を充填する場合は、袋体に形成されたひだ部分以外の部分の開口周縁を上述した一対の把持手段で把持し、これにより開口状態を維持して内容物の充填作業を行い、内容物の充填後は把持手段を操作して装置から袋体を開放し、次にオペレータは開口を封緘するため両ひだを揃える作業を行い、その後、開口の封緘等の作業をするようにしていた。
【特許文献１】特開２００２−２４０８０９号
【発明の開示】
【発明が解決しようとする課題】
【０００８】
ところで、上述した従来例の拡開維持装置によると、ひだなし紙袋内に内容物を充填した後は、固定爪と可動爪との間を開放する作業を行った後、直ちに開口を開封する作業を行えば良いが、ひだ付紙袋内に収容物を充填する場合は、内容物の充填後は、直ちにオペレータは開口を封緘するため両ひだを揃える作業を行わねばならず、このためひだ付き袋体内への内容物の充填作業効率が著しく低下する難点があった。
【０００９】
この発明は、上述した事情に鑑み、ひだ付き袋体内への内容物の充填後、両ひだを揃える作業を行う必要のない袋体の拡開維持装置を提供することを目的とする。
【課題を解決するための手段】
【００１０】
上述した、課題を解決するため、この発明では、固定爪と該固定爪に弾発的に圧接可能な可動爪とからなる把持手段を少なくとも一対具えた袋体の拡開維持装置において、前記記一対の把持手段の各固定爪を、互いに対向させることなく所定の間隔を設けて並設し、もって袋体の両ひだの部分を揃えたまま、袋体の外側から前記両ひだの部分を前記一対の固定爪と可動爪間に把持して袋体の開口を拡開状態に維持することを特徴とする。
【発明の効果】
【００１１】
上述した袋体の拡開維持装置によると、ひだ付袋体の両ひだを揃えたまま、袋体の外側から当該両ひだの部分を固定爪と可動爪とからなる把持手段で把持することが出来るので、内容物を充填し把持手段の把持操作を開放した後も、両ひだは揃えられた状態を維持するので、袋体の開口を封緘する際に、改めて両ひだを揃えるという作業を行う必要がなく、このため袋体内への内容物の充填作業効率が著しく向上させることができる。
【発明を実施するための最良の形態】
【００１２】
以下、この発明に係る袋体の拡開維持装置の一実施例を詳述する。
【００１３】
図１はこの発明に係る袋体の拡開維持装置（以下単に装置と言う）１を示す背面図、図２は図１のＡ視による側面図である。
【００１４】
この装置１は、図示せぬ袋体の底部を載置する基台２と、この基台２の両側に所定の間隔を設けて立設された一対の伸縮自在な支柱３と、この支柱３の先端から延設された一対の支持アーム４とから構成され、この支持アーム４の各先端には本願発明に係る把持手段１０が配設されている。
【００１５】
この把持手段１０は、図１の要部拡大図で示す図３及び図３のＢ視で示す図４のように、アーム４の先端に固着された固定爪１１と、この固定爪１１に弾発的に圧接する可動爪１２とから構成されている。なお、図４で示すように固定爪１１はアーム４の先端から下方へ向けて延設された舌片１３から構成され、その先端１３ａは装置１の外側へ向け湾曲している。
【００１６】
また、この各固定爪１１の平面１１ａは、図３に示すように、装置１の正面へ向け横一直線状に並設されている。
【００１７】
一方、可動爪１２は図４に示すように略への字形状に形成された舌片１２ａから構成されている。そして、この舌片１２ａは軸２０に回動自在に支承され、さらにその軸２０に嵌挿したコイルバネ２１の弾発力により、当該可動爪１２の先端１２ｂは常時は固定爪１１の平面１１ａに弾発的に圧接している。
【００１８】
なお、図３及び図４で符号３０は、把持手段１０を構成する断面コの字形状の枠体で、この枠体３０の上方は開口している。
【００１９】
次に上述した装置１の作用を説明し、併せて構成をより詳細に説明する。
【００２０】
両側方にひだが形成されたひだ付袋体である紙袋をこの装置１に装着する際は、図５で示すように、まず、可動爪１２のアーム部１２ｃをコイルバネ２１の弾発力に抗して矢印Ｆのように反時計方向へ回転させ、それにより、可動爪１２の先端１２ｂと、固定爪１１の平面１１ａとの間を拡開する。
【００２１】
次に、上述した可動爪１２の先端１２ｂと固定爪１１の平面１１ａとの間に形成された隙間Ｓ内にひだ付紙袋４０のひだ部４０ａを嵌挿する。なおこの嵌挿の仕方としては各種の方法があり、横（図面垂直方向）から挿入しても良く、また上から挿入しても良いことは勿論である。
【００２２】
そして、図６に示すように、ひだ付紙袋４０のひだ部４０ａの先端部が固定爪１１の平面部１１ａに至ると、上述した可動爪１２のアーム部１２ｃに対する回転力Ｆを解除する。
【００２３】
すると、図７で示すようにひだ付紙袋４０のひだ部４０ａが可動爪１２の先端１２ｂと、固定爪１１の平面１１ａとの間に把持され、そこに位置決め支持される。
【００２４】
なお、この状態を図８を用いて詳細に示すと、図示のように、ひだ付紙袋４０の両側方に形成された一対のひだ部４０ａは、それぞそれ対応する把持手段１０の固定爪１１の平面部１１ａと可動爪１２の先端部１２ｂ（図７）とにより、紙袋４０の外側から同時に把持されその状態が維持されるので、紙袋４０は、その開口４０ｂの拡開が維持され、その間に穀物等の内容物の充填作業が簡単に行なわれる。
【００２５】
なお、図示から明らかなように、紙袋４０の両ひだ部分４０ａは揃えられたままの状態で、当該紙袋４０の外側から固定爪１１と可動爪１２との間に把持された状態が維持されている。
【００２６】
このような、紙袋４０への内容物の充填作業が終了した後、オペレータは、両ひだ部４０ａをそれぞれ左右の手で掴み、そのままの状態で図７に示す可動爪１２を反時計方向へ操作し、これにより把持手段１０による紙袋４０の把持を解除する。詳しくは、ひだ部４０ａの掴みは、親指と１，２本の指で行い、その他空いている指で可動爪１２を上述したように操作する。
【００２７】
このような、袋体の拡開維持装置１によると、ひだ付紙袋４０の両ひだ４０ａを揃えたまま、紙袋４０の外側から当該両ひだ４０ａの部分を固定爪１１と可動爪１２とからなる把持手段１０で把持することが出来るので、内容物を充填し把持手段１０の把持操作を解除した後も、両ひだ４０ａは揃えられたままの状態を維持するので、紙袋４０の開口４０ｂを封緘する際に、改めて両ひだ４０ａを揃えるという作業を行う必要がなく、このため袋体内への内容物の充填作業効率が著しく向上することとなる。
【産業上の利用可能性】
【００２８】
以上説明したように、この発明は、ひだ付き袋体内への内容物の充填後、両ひだを揃える作業を行う必要のない袋体の拡開維持装置に適している。    
【図面の簡単な説明】
【００２９】
【図１】図１はこの発明に係る袋体の拡開維持装置の背面図。
【図２】図２は、図１のＡ視による側面図。
【図３】図３は図１の要部破断拡大図。
【図４】図４は図３のＢ視による側面図。
【図５】図５は把持手段の作用示す要部拡大側面図。
【図６】図６は把持手段の作用示す要部拡大側面図。
【図７】図７は把持手段の作用を示す要部拡大側面図。
【図８】図８は把持手段の作用を示す要部拡大背面図。
【符号の説明】
【００３０】
１…袋体の拡開維持装置
２…基台
３…支柱
４…支持アーム
１０…把持手段
１１…固定爪
１２…可動爪
４０…ひだ付袋体（ひだ付紙袋）
４０ａ…ひだ
４０ｂ…開口
【図１】
2007099283.tif 000003
【図２】
2007099283.tif 000004
【図３】
2007099283.tif 000005
【図４】
2007099283.tif 000006
【図５】
2007099283.tif 000007
【図６】
2007099283.tif 000008
【図７】
2007099283.tif 000009
【図８】
2007099283.tif 000010